(57)【要約】  本発明は、持ち手（１８）及びカバー（５）並びに一つ又は複数の回転切断ヘッド（１）を有する切断システムを含むひげトリマーに関する。前記回転切断ヘッドは移動刃（２）及び固定刃（３）を含み、各ヘッドは冠の形の櫛（４）によって包囲され、前記櫛（４）は、高さ調整可能であり、かつ使用時に、前記刃（２，３）と皮膚の間の距離を調整し、ひげの毛の切断を所望の長さに適応することを可能にする。前記カバー（５）は、前記持ち手（１８）上に開放位置と閉鎖位置の間で移動可能に装着され、カバー（５）と前記持ち手（１８）の間に空間を作り、切断システムをすすぐことを可能にする。【選択図】  図１
2018524044.tif 000002
【特許請求の範囲】
【請求項１】
持ち手（１８）及びカバー（５）並びに一つ又は複数の回転切断ヘッド（１）を有する切断システムを含むひげトリマーであって、前記回転切断ヘッドが移動刃（２）及び固定刃（３）を含み、各ヘッドが冠の形の櫛（４）によって包囲され、前記櫛（４）が、高さ調整可能であり、かつ使用時に、前記刃（２，３）と皮膚の間の距離を調整し、ひげの毛の切断を所望の長さに適応することを可能にするひげトリマーにおいて、前記カバー（５）が、前記持ち手（１８）上に開放位置と閉鎖位置の間で移動可能に装着され、カバー（５）と前記持ち手（１８）の間に空間を作り、切断システムをすすぐことを可能にすることを特徴とするひげトリマー。
【請求項２】
空間（６）が、カバー（５）を離れるように移動させるための手段（８）を作動することによって作られることを特徴とする請求項１に記載のひげトリマー。
【請求項３】
カバー（５）が、カバー（５）と前記持ち手（１８）の間に空間（６）を作るためにシャフト（１１）の方向に沿って並進されることを特徴とする請求項１又は２に記載のひげトリマー。
【請求項４】
カバー（５）を離れるよう移動させるための手段（８）が、カバー（５）と前記持ち手（１８）の間に空間（６）を作るためにシャフト（１１）のまわりに位置されるばねによって並進移動を作るようにその固定部（１０）からカバー（５）を離すことを特徴とする請求項１〜３のいずれかに記載のひげトリマー。
【請求項５】
カバー（５）が、電動化された方法で離れるように移動されることを特徴とする請求項１〜４のいずれかに記載のひげトリマー。
【請求項６】
前記トリマーが、カバー（５）を完全に除去可能にする後部上昇ロック解除部（１７）を含むことを特徴とする請求項１〜５のいずれかに記載のひげトリマー。
【請求項７】
移動刃（２）の回転軸が、すすぎ中に前記トリマーの切断システムを通る液体の流れを強めることを可能にするフィンを有するシリンダー（９）を含むことを特徴とする請求項１〜６のいずれかに記載のひげトリマー。
【請求項８】
櫛（４）の高さ調整が、電動化され、かつ０．５ミリメートル以内で位置調整されることができることを特徴とする請求項１〜７のいずれかに記載のひげトリマー。
【請求項９】
前記櫛（４）が、切断システムと皮膚の間の距離を０〜２０ｍｍ、好ましくは１〜１５ｍｍ、特に好ましくは２〜１２ｍｍに０．５ｍｍの精度で調整することを可能にすることを特徴とする請求項１〜８のいずれかに記載のひげトリマー。
【請求項１０】
浄化液のためのリザーバ（１４）を有し、かつ前記トリマーを受けて固定することができるベースを含む、請求項１〜９のいずれかに記載のひげトリマーのための浄化キット（１３）であって、ベースの深さが、開放位置でトリマーを水没することができるために好適である、浄化キット（１３）。
【請求項１１】
リザーバ（１４）内に混合らせん形物（１５）を含む、請求項１０に記載の浄化キット。
【請求項１２】
超音波発生器を含む、請求項１０又は１１に記載の浄化キット。
【請求項１３】
［ｓｉｃ］を含む、請求項１０〜１２のいずれかに記載の浄化キット。
【請求項１４】
請求項１〜９のいずれかに記載のトリマーのための充電器を含む、請求項１０〜１３のいずれかに記載の浄化キット。
【発明の詳細な説明】
【技術分野】
【０００１】
本発明は、少なくとも一つ、好ましくは二つ又は三つの、垂直軸を持つ回転切断ヘッドを含むひげトリマー（ｂｅａｒｄ  ｔｒｉｍｍｅｒ）に関する。これらの回転ヘッドの切断機構は、移動刃及び固定刃を備えている。各切断ヘッドは、冠の形の櫛によって包囲され、その高さが調整可能である。櫛の歯が固定刃に対して突出する高さは、切断機構と皮膚の間の距離を調整し、ひげの切断長さを調整することを可能にする。このひげを素早くトリミングする方法は、トリマーの切断システムの孔に入ることになる多量の毛を生成するので、トリマーは、内側から外側に向かって、そして外側から内側に向かって水ですすぐことを可能にする空間を持ち手とカバーの間に作ることを可能にする機構を備える。本発明はまた、かかるトリマーのための浄化キットに関する。
【背景技術】
【０００２】
従来技術のひげトリマーは、直線状に移動する刃及び固定刃を持ち、その操作は、固定刃に対して移動刃の行ったり来たりの移動に基づく。このタイプのトリマーは、一般的にひげの切断長さを調整することを可能にする櫛を備えている。かかるひげトリマーは、例えばＵＳＤ６９８０８４，ＵＳ６９７８５４７，ＵＳＤ４８６２６７，ＥＰ２７６６１５３Ａ１，ＵＳＤ３６３８０９，ＵＳ２０１３／００４２４８７，ＵＳ７０７６８７８，ＵＳＤ５２１６８３などに開示されている。
【０００３】
もちろん極めて短く切ったひげそりを達成することを可能にする複数の回転ヘッドを持つ電気かみそりが存在するが、これらは、ひげをトリミングするために使用されることができない。回転ヘッドを有する電気かみそりは、切断機構と皮膚の間の距離を調整するための櫛を持たない。我々が知っている限り、従来技術において垂直軸回転ヘッドを有するひげトリマーはない。
【０００４】
従来技術のトリマーは、移動刃と固定刃の交差部に直線切断線を持つ。それらは、ひげの毛が一つの方向に傾斜されることが最も多いのでトリミング方向に依存して毛を異なるようにトリミングする欠点を持つ。なぜならば、ひげの毛は、皮膚に対して垂直に成長することがほとんどないからである。従って、これらのトリマーで刈り取る結果は、トリミングされるひげの上での移動方向に依存して異なる。
【０００５】
このタイプのトリマーは従来から知られていないので、当業者は、垂直軸回転ヘッドを有するトリマーを浄化する問題に直面することは決してない。これらのトリマーは、切断システムの近くに極めて有意な量の切断毛を生成する。それゆえ、それらは、ひげがトリミングされるたびに水ですすがれなければならない。
【発明の概要】
【発明が解決しようとする課題】
【０００６】
本発明は、ひげの切断高さを調整することを可能にする調整可能な長さを有し、かつ冠形状の櫛によって包囲される一つ又は複数の回転ヘッドを有するひげトリマーを提供することを目的とし、そのトリマーは、浄化することを容易にする幾つかの機能、並びに浄化キットを備えるものである。
【課題を解決するための手段】
【０００７】
本発明は、持ち手及びカバー並びに一つ又は複数の切断ヘッドを有する回転切断システムを含むひげトリマーであって、前記回転切断ヘッドが移動刃及び固定刃を含み、各ヘッドが冠の形の櫛によって包囲され、前記櫛が、高さ調整可能であり、かつ使用時に、前記刃と皮膚の間の距離を調整し、ひげの毛の切断を所望の長さに適応することを可能にするひげトリマーにおいて、前記カバーが、前記持ち手上に開放位置と閉鎖位置の間で移動可能に装着され、カバーと前記持ち手の間に空間を作り、切断システムをすすぐことを可能にすることを特徴とするひげトリマーを開示する。
【０００８】
本発明の好ましい実施形態は、以下の特徴の少なくとも一つ、又はいずれかの適切な組み合わせを含む：
−  空間が、カバーを離れるように移動させるための手段を作動することによって作られる；
−  カバーが、カバーと前記持ち手の間に空間を作るためにシャフトの方向に沿って並進される；
−  カバーを離れるよう移動させるための手段が、カバーと前記持ち手の間に空間を作るためにシャフトのまわりに位置されるばねによって並進移動を作るようにその固定部からカバーを離す；
−  カバーが、電動化された方法で離れるように移動される；
−  前記トリマーが、カバーを完全に除去可能にする後部上昇ロック解除部（ｂａｃｋｕｐ  ｕｎｌｏｃｋｉｎｇ）を含む；
−  移動刃の回転軸が、すすぎ中に前記トリマーの切断システムを通る液体の流れを強めることを可能にするフィンを有するシリンダーを含む；
−  櫛の高さ調整が、電動化され、かつ０．５ミリメートル以内で位置調整されることができる；
−  前記櫛が、切断システムと皮膚の間の距離を０〜２０ｍｍ、好ましくは１〜１５ｍｍ、特に好ましくは２〜１２ｍｍに０．５ｍｍの精度で調整することを可能にする；
【０００９】
本発明はまた、浄化液のためのリザーバを有し、かつ前記トリマーを受けて固定することができるベースを含む、本発明によるひげトリマーのための浄化キットであって、ベースの深さが、開放位置でトリマーを水没することができるために好適である、浄化キットを開示する。
【００１０】
キットは、リザーバ中の混合らせん形物及び超音波発生器をさらに含むことができる。それはまた、本発明によるトリマーのための充電器を含むことができる。
【図面の簡単な説明】
【００１１】
【図１】図１は、三つの垂直軸回転ヘッドを含む本発明によるひげトリマーを示す。回転ヘッドのまわりの冠形状の櫛は、三つの異なる調整高さで示される。例えば、これらの三つの調整は、２，６，及び１０ｍｍの毛高さを得ることを可能にする。しかしながら、固定高さ櫛（図示せず）に対して固定刃及び移動刃の位置を変更することによって切断高さを変更することが可能である。しかし、この構成は、機械的に実施することがずっと難しいだろう。
【００１２】
【図２】図２は、一つ又は二つの回転切断ヘッドを有する本発明によるトリマーの実施形態を示す。
【００１３】
【図３】図３は、切断システム（固定刃及び移動刃）によって形成された平面に対する櫛の高さを調整するための機構を概略的に示す。
【００１４】
【図４】図４は、切断高さの調整及び切断機構の詳細図、及びどのようにひげの毛を所望の高さにトリミングすることができるかを示す。
【００１５】
【図５】図５は、本発明によるトリマーの開放機能を示す。開放機能は、持ち手上の押ボタンによってアクセス可能であり、装置を開いて蛇口の下ですすぐことを可能にする。すすぎは、二つの異なる位置で示され、そこでは水の流れは、内側から外側に向かって（ほぼ水平位置）、及び外側から内側に向かって（ほぼ垂直位置）流れる。
【００１６】
【図６】図６は、浄化中に切断システムを通る水の流れを強めることを可能にするらせん形フィンを有するシリンダーを示す、浄化位置を示す。
【００１７】
【図７】図７は、カバーを持ち手から離れるように動かすことによってトリマーを開放することを可能にする機構の詳細を示す、閉じられたトリマーの断面図を示す。太い黒い矢印は、カバーがその固定部から解放されるとき（それは、小さな白抜きの矢印によって示される）の櫛の将来の動きを示す。
【００１８】
【図８】図８は、カバーが、その固定部から解放され、かつ持ち手から約２０ｍｍ離れて移動された開放位置でのトリマーの断面図を示す。
【００１９】
【図９】図９は、浄化中に切断システムを通る水の流れを強めることを可能にする移動刃の回転軸に位置されるフィンを有するシリンダー、及び固定刃と移動刃を有する切断システムの垂直軸に見出される構成要素の詳細図を示す。らせん形フィン及び放射形フィンを有する二つのタイプのシリンダーもまた、それらの回転方向で詳細に示される。
【００２０】
【図１０】図１０は、浄化を容易にするための本発明によるトリマーと関連されうるキットを示す。キットは、浄化時に切断システムを通る水の流れを強めることを可能にするらせん形物を備えたリザーバ及びベースを含む。
【００２１】
【図１１】図１１は、浄化キットの断面図を示す。
【００２２】
【図１２】図１２は、様々な工程で浄化サイクルの操作を記載する。
【００２３】
参照符号のリスト
１．垂直軸を有する円形回転ヘッド
２．移動刃
３．固定刃
４．切断ヘッドを包囲する冠形状の櫛
５．カバー
６．装置を浄化するための開放位置
７．ひげの毛
８．すすぎのために装置を開放するための押ボタン
９．らせん形フィン又は放射形フィンを有するシリンダー
１０．カバーの固定部
１１．カバーがその固定部から解放されたときにカバーを上げるためのばねを有するシャフト
１２．櫛を動かして切断高さを変えることを可能にするアーム
１３．本発明によるトリマーのための浄化キット
１４．浄化液リザーバ
１５．浄化キットリザーバのらせん形物
１６．ベアリング部
１７．後部上昇ロック解除部
１８．持ち手
１９．接続手段
【発明を実施するための形態】
【００２４】
従来技術のひげトリマーと違って、本発明によるトリマーは、冠形状の櫛４によって包囲された、一つ又は複数の垂直軸円形回転ヘッド１を持ち、その高さは、固定刃に対して０．５ミリメートル以内で調整されることができる。この調整は、手動であるか又は電動であることができる（図示せず）。このトリマーは、回転ヘッドを有する電気ひげそりのように、ひげの上のアーチ形の円の移動を可能にする。このタイプの移動は、皮膚に対する傾斜にかかわらず、全ての側からのひげの毛のトリミングを開始する利点を持ち、それは、ひげの均一なトリミングをもたらす。
【００２５】
櫛４の移動は、毛を立ち上げ、それは、最終的にトリミング領域における歯の間に残る空間を介して固定刃３と移動刃２から作られた切断システムに向かって櫛の外側から侵入する。先端に向かって徐々に細くなる櫛４の歯の特定の形状は、切断システムに向かうひげの毛の容易な侵入を可能にする。
【００２６】
固定刃３は、放射形の切欠きを含み、それはまた、切断機構における毛の侵入に好ましい。
【００２７】
入れ子式の櫛４の高さは、ほぼ０〜２０ｍｍ、好ましくは０〜１５ｍｍ、特に好ましくは０〜１２ｍｍに調整されることができる。それゆえ、櫛は、トリマーを保管するときの空間を少なくするためにカバー５にほとんど完全に格納可能である。
【００２８】
本発明によるトリマーの浄化機能は、週に１回又は２回だけなされることが多いひげの手入れが簡単なシェービングより有意に多い切断廃棄物を生成するので、極めて重要である。
【００２９】
それゆえ、本発明は、装置の浄化を容易にしかつ改良することを可能にする一連の解決策を提案するものであり、それは、特に以下のものを含む：
−  カバー５を持ち手１８から脱着し、カバー５の固定を維持しながら装置を開放することを可能にするトリマーの開放機能。かくして開放は、内側から外側に向かって又は外側から内側に向かって水を通すことによって水ですすぐことを可能にする（図５及び６参照）；
−  放射形フィン又はらせん形フィンを有するシリンダー９が、移動刃の回転軸に固定され、切断機構を通る水の強い流れを生成することを可能にする（図７参照）；
−  本発明によるトリマーを受けるために好適なリザーバ１４及びベースを含む浄化キット１３。使用時に、トリマーは、らせん形物１５によって動き出させることができる浄化液中に浸漬される。
【００３０】
本発明によるトリマーを開放することを可能にする機構は、図７（閉鎖位置）及び図８（開放位置）で示されている。
【００３１】
まず、手動又は電動化されたアーム１２は、ベアリング部１６を介して櫛を押し、固定部１０を解放しかつ櫛を最大高さ位置に向かって押す。カバーは、次に中央シャフト１１を包囲するばねによって上方に押される。
【００３２】
水ですすいだ後、カバー５は、その開始位置に戻るように押され、トリマーが閉じられる。
【００３３】
トリマーはまた、二つの後部上昇押ボタン１７を含み、それは、もし開放機構が切断システム中の過剰量の切断毛のために動かなくなる場合にはカバー全体を除去することが可能である。
【００３４】
数時間の使用後、水での簡単なすすぎは、トリマーを浄化するためにはもはや十分でないかもしれない。これは、浄化キットが装置の徹底的な浄化のために与えられる理由である。この浄化キットは、トリマーのために与えられる洗浄剤溶液を有するリザーバを含む。それはまた、溶液を攪拌することを意図されるらせん形物及び／又は超音波発生器を含むことができる。本発明によるトリマーは、カバー５が装置から完全に除去された後にそこに浸漬されることができる。最後に、浄化キットはまた、浄化及び超音波機能に加えて、本発明によるトリマーの電池に対する充電機能を含むことができる。従って、浄化キットは、充電機能と超音波浴機能を併せ持つことができる。トリマーと浄化キットの間の接続手段１９は、図１２に示された浄化サイクルのために必要なパルスを与えることを可能にする。
【図１】
2018524044.tif 000003
【図２】
2018524044.tif 000004
【図３】
2018524044.tif 000005
【図４】
2018524044.tif 000006
【図５】
2018524044.tif 000007
【図６】
2018524044.tif 000008
【図７】
2018524044.tif 000009
【図８】
2018524044.tif 000010
【図９】
2018524044.tif 000011
【図１０】
2018524044.tif 000012
【図１１】
2018524044.tif 000013
【図１２】
2018524044.tif 000014
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
持ち手及びカバー並びに一つ又は複数の回転切断ヘッドを有する切断システムを含むひげトリマーであって、前記回転切断ヘッドが移動刃及び固定刃を含み、各ヘッドが冠の形の櫛によって包囲され、前記櫛が、高さ調整可能であり、かつ使用時に、前記刃と皮膚の間の距離を調整し、ひげの毛の切断を所望の長さに適応することを可能にするひげトリマーであって、前記カバーが、前記持ち手上に開放位置と閉鎖位置の間で移動可能に装着され、カバーと前記持ち手の間に空間を作り、切断システムをすすぐことを可能にすることを特徴とするひげトリマー。
【請求項２】
空間が、カバーを離れるように移動させるための手段を作動することによって作られる、請求項１に記載のひげトリマー。
【請求項３】
カバーが、カバーと前記持ち手の間に空間を作るためにシャフトの方向に沿って並進される、請求項１に記載のひげトリマー。
【請求項４】
カバーを離れるよう移動させるための手段が、カバーと前記持ち手の間に空間を作るためにシャフトのまわりに位置されるばねによって並進移動を作るようにその固定部からカバーを離す、請求項１に記載のひげトリマー。
【請求項５】
カバーが、電動化された方法で離れるように移動される、請求項１に記載のひげトリマー。
【請求項６】
前記トリマーが、カバーを完全に除去可能にする後部上昇ロック解除部を含む、請求項１に記載のひげトリマー。
【請求項７】
移動刃の回転軸が、すすぎ中に前記トリマーの切断システムを通る液体の流れを強めることを可能にするフィンを有するシリンダーを含む、請求項１に記載のひげトリマー。
【請求項８】
櫛の高さ調整が、電動化され、かつ０．５ミリメートル以内で位置調整されることができる、請求項１に記載のひげトリマー。
【請求項９】
前記櫛が、切断システムと皮膚の間の距離を０〜２０ｍｍ、好ましくは１〜１５ｍｍ、特に好ましくは２〜１２ｍｍに０．５ｍｍの精度で調整することを可能にする、請求項１に記載のひげトリマー。
【請求項１０】
浄化液のためのリザーバを有し、かつ前記トリマーを受けて固定することができるベースを含む、請求項１に記載のひげトリマーのための浄化キットであって、ベースの深さが、開放位置でトリマーを水没することができるために好適である、浄化キット。
【請求項１１】
リザーバ内に混合らせん形物を含む、請求項１０に記載の浄化キット。
【請求項１２】
超音波発生器を含む、請求項１０に記載の浄化キット。
【請求項１３】
請求項１に記載のトリマーのための充電器を含む、請求項１０に記載の浄化キット。
【国際調査報告】
2018524044.tif 000015
2018524044.tif 000016
2018524044.tif 000017
2018524044.tif 000018
2018524044.tif 000019